(57)【特許請求の範囲】
【請求項１】
地表から上方に延びる支線に複数設置された円筒形のかずら防止具の接続部分に配置される連結具であって、
前記接続部分に配置した場合に、前記接続部分付近を前記かずら防止具の径以上に太くする筒状の本体を有し、
前記本体は、一体化して円筒体を形成する一対の半円筒部からなり、
一対の前記半円筒部の内面の両端部に、斜め方向に延びる板ばね状の延在部が円周方向に複数並んで配置されることを特徴とするかずら防止具の連結具。
【請求項２】
前記本体は、径方向に延びる鍔部を有することを特徴とする請求項１記載のかずら防止具の連結具。
【発明の詳細な説明】
【技術分野】
【０００１】
本発明は、支線に設置された複数のかずら防止具を連結する連結具に関する。
【背景技術】
【０００２】
従来、かずらなどの蔓性植物が生えている場所、例えば山野に立設される電柱においては、その電柱を支える支線に蔓性植物が巻付いて上方に伸びていくことが多い。この蔓性植物が、高圧配電線まで至ると、地絡事故を起こしたりまた架線作業に支障をきたしたりするおそれがある。このため、支線にかずら防止具を取り付けて、支線の一部を太くすることにより蔓性植物が上っていく速度を抑えている。
【０００３】
従来のこの種の技術としては、特許文献１に記載された技術がある。特許文献１によれば、中央の円筒形部分と、この円筒形部分の両端部に固定される円錐形部分とを有し、円筒形部分を継ぎ足すことによって全長を適宜変更することが可能な蔓性植物のよじ登り防止具について開示されている。
【先行技術文献】
【特許文献】
【０００４】
【特許文献１】特開２００３−４７３８７号公報
【発明の概要】
【発明が解決しようとする課題】
【０００５】
特許文献１に記載された技術においては、既設の防止具の全長を長くする際に、円筒形部分と円錐形部分との分離や、継ぎ足し用の円筒形部分の接続といった作業が必要になり、作業員の負担が大きくなるおそれがある。このため、既設のかずら防止具の全長を長くする場合には、新たなかずら防止具を既設のかずら防止具の上部に取り付ける方が、作業員の負担が少なくて済む場合がある。
【０００６】
図７は、支線２１０に２つのかずら防止具１００を設置した例を示す説明図である。かずら防止具１００は、電柱２００を支持するために設けられる支線２１０に設置される。かずら防止具１００は、構造上、両端部の径が中央部の径よりも小さくなっている。このため、複数のかずら防止具１００を接するように支線２１０に設置した場合、その接触部分Ａ付近にくびれが形成される。この接触部分Ａは細いことから、接触部分Ａにすぐにかずらが巻き付いてしまい、しかも、かずらは接触部分Ａから外れなくなるため、かずらの支線２１０上部への移動が速くなる。その結果、かずらが予想以上に早く上り、かずらが高圧線に到達していることの発見が遅れると、配電線事故が発生するおそれがある。
【０００７】
本発明は、このような問題点を解決し、かずらが上りにくくなるように複数のかずら防止具を連結する連結具を提供することを目的とする。
【課題を解決するための手段】
【０００８】
前記目的を達成するため、本発明は、次に記載する構成を備えている。
【０００９】
（１）  地表から上方に延びる支線に複数設置された円筒形のかずら防止具の接続部分に配置される連結具であって、前記接続部分に配置した場合に、前記接続部分付近が前記かずら防止具の径以上に太くする筒状の本体を有することを特徴とするかずら防止具の連結具。
【００１０】
（１）によれば、複数のかずら防止具の接続部分に形成されているくびれ部分が連結具によって覆われるため、複数のかずら防止具において、かずらが外れないように巻き付いてしまう箇所がなくなる。しかも、接続部分付近がかずら防止具の径以上に太くなるため、かずらが接続部分に巻き付くまでに時間が掛かるようになり、かずらが上っていく速度を更に抑えることが可能になる。
【００１１】
（２）  （１）において、前記本体は、径方向に延びる鍔部を有することを特徴とする連結具。
【００１２】
（２）によれば、鍔部が、かずらが上っていく際の障害となるため、かずらが上っていく速度を更に抑えることが可能になる。
【発明の効果】
【００１３】
本発明によれば、かずらが上りにくくなるように複数のかずら防止具を連結する連結具を提供することが可能になる。
【図面の簡単な説明】
【００１４】
【図１】本発明の一実施形態における連結具１の使用状態を示す説明図である。
【図２】連結具１の外観を示す斜視図である。
【図３】連結具１を、２本のかずら防止具１００の接続部分に設置した状態を示す説明図である。
【図４】本実施形態の変形例を示す斜視図である。
【図５】本実施形態の変形例を示す斜視図である。
【図６】本実施形態の変形例を示す斜視図である。
【図７】支線２１０に２つのかずら防止具１００を設置した例を示す説明図である。
【発明を実施するための形態】
【００１５】
以下、本発明の実施形態について、図面を参照しながら詳細に説明する。
図１は、本発明の一実施形態における連結具１の使用状態を示す説明図である。なお、図１に示す部材において、図７に示す部材と同一の部材には、同一の符号が付してある。
【００１６】
図１に示すように、連結具１は、上側のかずら防止具１００の下端部と、下側のかずら防止具１００の上端部との間に設置される。この連結具１によって、接続部分Ａが覆われる。
【００１７】
図２は、連結具１の外観を示す斜視図である。連結具１は、筒状の本体に相当する一対の半円筒部１０、１２と、蝶番２０と、からなる。
【００１８】
一対の半円筒部１０、１２は、半円筒体からなり、半円筒部１０と半円筒部１２とを組み合わせることによって一つの円筒体が形成される。この円筒体の内径は、かずら防止具１００の外径に等しく、高さは、接続部分Ａの支線２１０方向の幅より大きく設定されている。
蝶番２０は、半円筒部１０の円周方向の一端部と、半円筒部１２の円周方向の一端部とを開閉自在に連結する。
【００１９】
また、半円筒部１０における円周方向の他端部から延在片１０ａ、１０ａが延出している。この延在片１０ａ、１０ａの先端部は鉤状に形成されている。半円筒部１０における円周方向の他端部には、延在片１０ａ、１０ａが係合する溝１２ｂ、１２ｂが形成されている。
【００２０】
そして、半円筒部１０と半円筒部１２とを閉じて、延在片１０ａ、１０ａを溝１２ｂ、１２ｂに係合させることにより、半円筒部１０と半円筒部１２とが一体化して円筒体が形成される。
【００２１】
図３は、連結具１を、２本のかずら防止具１００の接続部分に設置した状態を示す説明図である。図３に示すように、２本のかずら防止具１００の接続部分Ａが連結具１によって覆われる。また、接続部分Ａ付近は、半円筒部１０、１２の厚さ分だけかずら防止具１００の径以上に太くなる。
【００２２】
このように構成された本実施形態によれば、複数のかずら防止具１００の接続部分Ａ付近が連結具１によって覆われて円周面になるため、複数のかずら防止具１００において、かずらが外れないように巻き付いてしまう箇所がなくなる。しかも、接続部分Ａ付近がかずら防止具１００の径以上に太くなるため、かずらが接続部分に巻き付くまでに時間が掛かるようになり、かずらが上っていく速度を更に抑えることが可能になる。
【００２３】
図４は、本実施形態の変形例を示す斜視図である。この変形例は、図２に示す連結具１における半円筒部１０、１２の端部に、図４に示すように、径方向に延びる半円形の鍔部１０ｃ、１２ｃを形成したものである。
【００２４】
そして、半円筒部１０と半円筒部１２とを閉じて、延在片１０ａ、１０ａを溝１２ｂ、１２ｂに係合させることにより、半円筒部１０と半円筒部１２とが一体化して円筒体が形成されるとともに、鍔部１０ｃと鍔部１２ｃとが一体化してリング状の円板体が形成される。
【００２５】
このように構成された本実施形態の変形例によれば、鍔部１０ｃ、１２ｃが、かずらが上っていく際の障害となるため、かずらが上っていく速度を更に抑えることが可能になる。
【００２６】
以上、本発明の実施形態について説明したが、本発明の実施形態は上述した実施形態に限るものではない。例えば、図５に示すように、半円筒部１０、１２の内側に、上側のかずら防止具１００側の肉厚が薄く、下側のかずら防止具１００側の肉厚が薄くなるような段差１０ｄ、１２ｄを設けることにより、上側のかずら防止具１００の径が、下側のかずら防止具１００の径より大きい場合に対応可能になる。
【００２７】
また、図６に示すように、半円筒部１０と半円筒部１２の内面の両端部に、斜め方向に延びる板ばね状の延在部１０ｅ、１２ｅが形成されたものでもよい。延在部１０ｅ、１２ｅは、円周方向に複数並んで配置されている。このように構成することにより、連結具１を、２本のかずら防止具１００の接続部分Ａに設置した場合に、半円筒部１０の内側において、延在部１０ｅ、１２ｅが弾性変形した状態で２本のかずら防止具１００に当接する。これにより、上下のかずら防止具１００の径が多少異なっていても、上下のかずら防止具１００を連結し、接続部分Ａを覆うことが可能になる。
【００２８】
また、図３に示す連結具１は円筒状であるが、それに限らず、連結具１は、上側に向かって徐々に径が大きくなる截頭円錐形状に形成してもよい。
【符号の説明】
【００２９】
１  連結具
１０  半円筒部
１０ａ  延在片
１０ｃ  鍔部
１０ｄ  段差
１０ｅ  延在部
１２  半円筒部
１２ａ  溝
１２ｃ  鍔部
１２ｄ  段差
１２ｅ  延在部
２０  蝶番
１００  防止具
２００  電柱
２１０  支線
【図１】
0006524675.tif 000002
【図２】
0006524675.tif 000003
【図３】
0006524675.tif 000004
【図４】
0006524675.tif 000005
【図５】
0006524675.tif 000006
【図６】
0006524675.tif 000007
【図７】
0006524675.tif 000008